(57)【要約】【課題】容易に所望のネットワークアドレスに接続することが可能なネットワーク接続システムを提供する。【解決手段】本発明に係るネットワーク接続システム１００は、画像を撮影しこの画像の画像データを取得可能な使用者の画像取得装置と、ネットワークに接続可能な使用者のコンピュータと、少なくともネットワークアドレスを含む目的データと基準イメージの形状とを対応づけたテーブル、および、基準イメージを解析し、この基準イメージの形状を認識する画像認識アルゴリズム、を有する管理サーバと、を備える。管理サーバ１は、使用者のコンピュータによりネットワークを介して送信された画像データから、画像認識アルゴリズムを用いて基準イメージ４ａの形状を認識し、この認識した形状に対応する目的データをテーブルを用いて検索し、検索した目的データを使用者の（コンピュータ）にネットワーク３を介して送信する。【選択図】図１
2007249268.tif 000002
【特許請求の範囲】
【請求項１】
ネットワークを通じて使用者のコンピュータを所定のネットワークアドレスに接続するためのネットワーク接続方法であって、
少なくとも前記ネットワークアドレスを含む目的データと基準イメージの形状とを対応づけたテーブルが作成された前記基準イメージを含む画像を、使用者の画像取得装置により取得するステップと、
前記使用者のコンピュータが、前記画像取得装置により取得された画像の画像データを、前記ネットワークを介して接続された管理サーバに送信するステップと、
前記管理サーバが、受信した前記画像データから画像認識アルゴリズムを用いて前記基準イメージの形状を認識し、この認識した形状に対応する前記目的データを前記テーブルを用いて検索するステップと、
前記管理サーバが、検索した前記目的データを前記使用者のコンピュータに前記ネットワークを介して送信するステップと、を備える
ことを特徴とするネットワーク接続方法。
【請求項２】
前記使用者のコンピュータが、受信した前記目的データに含まれたネットワークアドレスに前記ネットワークを通じて接続するステップをさらに備える
ことを特徴とする請求項１に記載のネットワーク接続方法。
【請求項３】
前記使用者の画像取得装置は、携帯電話に設けられたデジタルカメラであり、
前記使用者のコンピュータは、前記携帯電話に内蔵されている
ことを特徴とする請求項１または２に記載のネットワーク接続方法。
【請求項４】
前記管理サーバは、複数の画像認識アルゴリズムを用いて前記基準イメージの形状を認識する
こと特徴とする請求項１ないし３の何れかに記載のネットワーク接続方法。
【請求項５】
前記管理サーバは、複数の画像認識アルゴリズムを用いて同時に並列して前記基準イメージの形状を解析しこの解析結果に基づいて前記基準イメージの形状を認識すること特徴とする請求項４に記載のネットワーク接続方法。
【請求項６】
前記管理サーバは、１つの画像認識アルゴリズムを用いて前記基準イメージの形状を解析して認識し、認識できない場合は、他の画像認識アルゴリズムを用いて解析して認識する
こと特徴とする請求項４に記載のネットワーク接続方法。
【請求項７】
前記ネットワークアドレスを含む目的データを他のネットワークアドレスを含む目的データと置き換えて前記基準イメージの形状と対応づけて前記テーブルの内容を変更する
ことを特徴とする請求項１または２に記載のネットワーク接続方法。
【請求項８】
前記テーブルは、目的データと基準イメージの形状、さらに色彩とを対応づけて作成されている
ことを特徴とする請求項１または２に記載のネットワーク接続方法。
【請求項９】
ネットワークを通じて使用者のコンピュータを所定のネットワークアドレスに接続するためのネットワーク接続システムであって、
画像を撮影しこの画像の画像データを取得可能な前記使用者の画像取得装置と、
前記ネットワークに接続可能な前記使用者のコンピュータと、
少なくとも前記ネットワークアドレスを含む目的データと基準イメージの形状とを対応づけたテーブル、および、前記基準イメージを解析し、この基準イメージの形状を認識する画像認識アルゴリズム、を有する管理サーバと、を備え、
前記管理サーバは、
使用者の画像取得装置により取得され、前記使用者のコンピュータにより前記ネットワークを介して送信された、前記基準イメージを含む画像の画像データから、前記画像認識アルゴリズムを用いて前記基準イメージの形状を認識し、
この認識した形状に対応する前記目的データを前記テーブルを用いて検索し、
検索した前記目的データを前記使用者のコンピュータに前記ネットワークを介して送信する
ことを特徴とするネットワーク接続システム。
【請求項１０】
前記使用者のコンピュータが、受信した前記目的データに含まれたネットワークアドレスに前記ネットワークを通じて接続する
ことを特徴とする請求項９に記載のネットワーク接続システム。
【請求項１１】
前記使用者の画像取得装置は、携帯電話に設けられたデジタルカメラであり、
前記使用者のコンピュータは、前記携帯電話に内蔵されている
ことを特徴とする請求項９または１０に記載のネットワーク接続システム。
【請求項１２】
前記管理サーバは、複数の画像認識アルゴリズムを用いて前記基準イメージの形状を認識する
こと特徴とする請求項９ないし１１の何れかに記載のネットワーク接続システム。
【請求項１３】
前記管理サーバは、複数の画像認識アルゴリズムを用いて同時に並列して前記基準イメージの形状を解析しこの解析結果に基づいて前記基準イメージの形状を認識すること特徴とする請求項１２に記載のネットワーク接続システム。
【請求項１４】
前記管理サーバは、１つの画像認識アルゴリズムを用いて前記基準イメージの形状を解析して認識し、認識できない場合は、他の画像認識アルゴリズムを用いて解析して認識する
こと特徴とする請求項１２に記載のネットワーク接続システム。
【請求項１５】
前記ネットワークアドレスを含む目的データを他のネットワークアドレスを含む目的データと置き換えて前記基準イメージの形状と対応づけて前記テーブルの内容を変更する
ことを特徴とする請求項９または１０に記載のネットワーク接続システム。
【請求項１６】
前記テーブルは、目的データと基準イメージの形状、さらに色彩とを対応づけて作成されている
ことを特徴とする請求項９または１０に記載のネットワーク接続システム。
【請求項１７】
使用者のコンピュータから受信したデータに応じて、前記使用者のコンピュータに所定のネットワークアドレスを含む情報を送信する管理サーバであって、
少なくとも前記ネットワークアドレスを含む目的データと基準イメージの形状とを対応づけたテーブルと、
前記基準イメージを解析し、この基準イメージの形状を認識する画像認識アルゴリズムと、を有し、
前記使用者の画像取得装置により取得され、前記使用者のコンピュータにより前記ネットワークを介して送信された、前記基準イメージを含む画像の画像データから、前記画像認識アルゴリズムを用いて前記基準イメージの形状を認識し、
この認識した形状に対応する前記目的データを前記テーブルを用いて検索し、
検索した前記目的データを前記使用者のコンピュータに前記ネットワークを介して送信する
ことを特徴とする管理サーバ。
【請求項１８】
前記使用者のコンピュータが、受信した前記目的データに含まれたネットワークアドレスに前記ネットワークを通じて接続する
ことを特徴とする請求項１７に記載の管理サーバ。
【請求項１９】
前記使用者の画像取得装置は、携帯電話に設けられたデジタルカメラであり、
前記使用者のコンピュータは、前記携帯電話に内蔵されている
ことを特徴とする請求項１７または１８に記載の管理サーバ。
【請求項２０】
前記管理サーバは、複数の画像認識アルゴリズムを用いて前記基準イメージの形状を認識する
こと特徴とする請求項１７ないし１９の何れかに記載の管理サーバ。
【請求項２１】
前記管理サーバは、複数の画像認識アルゴリズムを用いて同時に並列して前記基準イメージの形状を解析しこの解析結果に基づいて前記基準イメージの形状を認識する
こと特徴とする請求項２０に記載の管理サーバ。
【請求項２２】
前記管理サーバは、１つの画像認識アルゴリズムを用いて前記基準イメージの形状を解析して認識し、認識できない場合は、他の画像認識アルゴリズムを用いて解析して認識する
こと特徴とする請求項２０に記載の管理サーバ。
【請求項２３】
前記ネットワークアドレスを含む目的データを他のネットワークアドレスを含む目的データと置き換えて前記基準イメージの形状と対応づけて前記テーブルの内容を変更することを特徴とする請求項１７または１８に記載の管理サーバ。
【請求項２４】
前記テーブルは、目的データと基準イメージの形状、さらに色彩とを対応づけて作成されている
ことを特徴とする請求項１７または１８に記載の管理サーバ。
【請求項２５】
ネットワークを通じて所定のネットワークアドレスに接続することができる携帯電話であって、
画像を撮影しこの画像の画像データを取得可能な画像取得装置と、
前記ネットワークに接続可能なコンピュータと、を備え、
少なくとも前記ネットワークアドレスを含む目的データと基準イメージの形状とを対応づけたテーブルが作成された前記基準イメージを含む画像を、前記画像取得装置により取得し、
前記コンピュータが、前記画像取得装置により取得された画像の画像データを、前記ネットワークを介して接続された管理サーバに送信し、
前記管理サーバにより前記画像データから画像認識アルゴリズムを用いて前記基準イメージの形状が認識されこの形状に対応する前記目的データを前記テーブルを用いて検索され送信された前記目的データを、前記ネットワークを介して受信する
ことを特徴とする携帯電話。
【請求項２６】
前記コンピュータが、受信した前記目的データに含まれたネットワークアドレスに前記ネットワークを通じて接続する
ことを特徴とする請求項２５に記載の携帯電話。
【請求項２７】
前記画像取得装置は、デジタルカメラであることを特徴とする請求項２５または２６に記載の携帯電話。
【請求項２８】
前記管理サーバは、複数の画像認識アルゴリズムを用いて前記基準イメージの形状を認識する
こと特徴とする請求項２５または２６に記載の携帯電話。
【請求項２９】
前記管理サーバは、複数の画像認識アルゴリズムを用いて同時に並列して前記基準イメージの形状を解析しこの解析結果に基づいて前記基準イメージの形状を認識する
こと特徴とする請求項２５または２６に記載の携帯電話。
【請求項３０】
前記管理サーバは、１つの画像認識アルゴリズムを用いて前記基準イメージの形状を解析して認識し、認識できない場合は、他の画像認識アルゴリズムを用いて解析して認識する
こと特徴とする請求項２５または２６に記載の携帯電話。
【請求項３１】
前記ネットワークアドレスを含む目的データを他のネットワークアドレスを含む目的データと置き換えて前記基準イメージの形状と対応づけて前記テーブルの内容を変更する
ことを特徴とする請求項２５または２６に記載の携帯電話。
【請求項３２】
前記テーブルは、目的データと基準イメージの形状、さらに色彩とを対応づけて作成されている
ことを特徴とする請求項２５または２６に記載の携帯電話。
【発明の詳細な説明】
【技術分野】
【０００１】
本発明は、例えば、表示された形状を有する基準イメージを用いたネットワーク接続方法、ネットワーク接続システム、管理サーバ、および、携帯電話に関する。
【背景技術】
【０００２】
近年、市場に流通される大部分の商品には商品の種類及び値段などの商品情報を示すために多様な太さの線で構成されたバーコードが表示されている。このようなバーコードは太線と細線、そして二重線等で構成されて商品情報がエンコーディングされた数字データを示す。
【０００３】
一方、一般のビジネスなどの目的で名刺に会社のインターネットホームページアドレスあるいは、電子メールアドレスなどのＵＲＬ(Uniform Resource Location)等のネットワークアドレスを表示する場合がある。
【０００４】
このようなインターネットホームページにはその会社の広報内容が含まれており、その会社に興味があるインターネット使用者はそのインターネットホームページにある会社の広報内容を読んだ後、問い合わせ事項がある時に電子メールアドレスに連絡を試みる。また、名刺以外にも雑誌、新聞などの広告欄に特定会社のインターネットホームページアドレスやURLなどを表示する場合もある。
【０００５】
この際、もしある使用者がこれらの媒体に表示されたＵＲＬに接続するためには、その媒体に表示されたＵＲＬをキーボードでタイプしなければならない。または、これらの媒体に電子メールアドレスが表示されているならば、その電子メールアドレスに電子メールを送ろうとする使用者はその電子メールアドレスを全てタイプしなければならない。
【０００６】
しかし、インターネットホームページアドレスあるいは電子メールアドレスは一文字あるいは二文字ではなく、一般に十数字から数十字の文字で構成されている。それにより使用者がそのアドレスを入力するのが困難であり、また、誤ってネットワークのアドレスが入力され、所定のサービスが提供されないという問題があった。
【０００７】
この様な問題を解決する従来技術として、ネットワークに関する情報（例えば、特定のネットワーク上のアドレスやＵＲＬに入っている文字や記号等）を既に定義されたコード体系によって、色彩や濃淡を用いてコードイメージ（カラーコード）に変換して所定の媒体に表示し、使用者がそのコードイメージをＰＣカメラ、デジタルカメラ、スキャナ等により取得し、使用者のコンピュータにより既述のコード体系に基づいて所定のネットワークアドレスやＵＲＬにデコーディングし、このデコーディング情報に基づいて接続されたネットワークのサービスの提供を受けるものがある（例えば、特許文献１参照。）。
【０００８】
しかし、上記従来技術では、ネットワークに関する情報に対応したコードイメージを設定する必要があり、ネットワーク接続のため工程数が増加するという問題が生じ得る。
【特許文献１】特開２００３−６０７７号公報（第３−８頁、第４図）
【発明の開示】
【発明が解決しようとする課題】
【０００９】
本発明は、上記課題を解決するものであり、使用者のコンピュータを所望のネットワークアドレスに容易に接続することが可能なネットワーク接続方法、ネットワーク接続システム、管理サーバ、および、携帯電話を提供するものである。
【課題を解決するための手段】
【００１０】
本発明の一態様に係るネットワーク接続方法は、
ネットワークを通じて使用者のコンピュータを所定のネットワークアドレスに接続するためのネットワーク接続方法であって、
少なくとも前記ネットワークアドレスを含む目的データと基準イメージの形状とを対応づけたテーブルが作成された前記基準イメージを含む画像を、使用者の画像取得装置により取得するステップと、
前記使用者のコンピュータが、前記画像取得装置により取得された画像の画像データを、前記ネットワークを介して接続された管理サーバに送信するステップと、
前記管理サーバが、受信した前記画像データから画像認識アルゴリズムを用いて前記基準イメージの形状を認識し、この認識した形状に対応する前記目的データを前記テーブルを用いて検索するステップと、
前記管理サーバが、検索した前記目的データを前記使用者のコンピュータに前記ネットワークを介して送信するステップと、を備えることを特徴とする。
【００１１】
さらに、本発明の一態様に係るネットワーク接続方法は、
前記使用者のコンピュータが、受信した前記目的データに含まれたネットワークアドレスに前記ネットワークを通じて接続するステップをさらに備えることを特徴とする。
【００１２】
さらに、本発明の一態様に係るネットワーク接続方法は、
前記使用者の画像取得装置は、携帯電話に設けられたデジタルカメラであり、
前記使用者のコンピュータは、前記携帯電話に内蔵されていることを特徴とする。
【００１３】
さらに、本発明の一態様に係るネットワーク接続方法は、
前記管理サーバは、複数の画像認識アルゴリズムを用いて前記基準イメージの形状を認識することを特徴とする。
【００１４】
さらに、本発明の一態様に係るネットワーク接続方法は、
前記管理サーバは、複数の画像認識アルゴリズムを用いて同時に並列して前記基準イメージの形状を解析しこの解析結果に基づいて前記基準イメージの形状を認識することを特徴とする。
【００１５】
さらに、本発明の一態様に係るネットワーク接続方法は、
前記管理サーバは、１つの画像認識アルゴリズムを用いて前記基準イメージの形状を解析して認識し、認識できない場合は、他の画像認識アルゴリズムを用いて解析して認識することを特徴とする。
【００１６】
さらに、本発明の一態様に係るネットワーク接続方法は、
前記ネットワークアドレスを含む目的データを他のネットワークアドレスを含む目的データと置き換えて前記基準イメージの形状と対応づけて前記テーブルの内容を変更することを特徴とする。
【００１７】
さらに、本発明の一態様に係るネットワーク接続方法は、
前記テーブルは、目的データと基準イメージの形状、さらに色彩とを対応づけて作成されていることを特徴とする。
【００１８】
本発明の一態様に係るネットワーク接続システムは、
ネットワークを通じて使用者のコンピュータを所定のネットワークアドレスに接続するためのネットワーク接続システムであって、
画像を撮影しこの画像の画像データを取得可能な前記使用者の画像取得装置と、
前記ネットワークに接続可能な前記使用者のコンピュータと、
少なくとも前記ネットワークアドレスを含む目的データと基準イメージの形状とを対応づけたテーブル、および、前記基準イメージを解析し、この基準イメージの形状を認識する画像認識アルゴリズム、を有する管理サーバと、を備え、
前記管理サーバは、
使用者の画像取得装置により取得され、前記使用者のコンピュータにより前記ネットワークを介して送信された、前記基準イメージを含む画像の画像データから、前記画像認識アルゴリズムを用いて前記基準イメージの形状を認識し、
この認識した形状に対応する前記目的データを前記テーブルを用いて検索し、
検索した前記目的データを前記使用者のコンピュータに前記ネットワークを介して送信すること特徴とする。
【００１９】
さらに、本発明の一態様に係るネットワーク接続システムは、
前記使用者のコンピュータが、受信した前記目的データに含まれたネットワークアドレスに前記ネットワークを通じて接続することを特徴とする。
【００２０】
さらに、本発明の一態様に係るネットワーク接続システムは、
前記使用者の画像取得装置は、携帯電話に設けられたデジタルカメラであり、
前記使用者のコンピュータは、前記携帯電話に内蔵されていることを特徴とする。
【００２１】
さらに、本発明の一態様に係るネットワーク接続システムは、
前記管理サーバは、複数の画像認識アルゴリズムを用いて前記基準イメージの形状を認識することを特徴とする。
【００２２】
さらに、本発明の一態様に係るネットワーク接続システムは、
前記管理サーバは、複数の画像認識アルゴリズムを用いて同時に並列して前記基準イメージの形状を解析しこの解析結果に基づいて前記基準イメージの形状を認識することを特徴とする。
【００２３】
さらに、本発明の一態様に係るネットワーク接続システムは、
前記管理サーバは、１つの画像認識アルゴリズムを用いて前記基準イメージの形状を解析して認識し、認識できない場合は、他の画像認識アルゴリズムを用いて解析して認識することを特徴とする。
【００２４】
さらに、本発明の一態様に係るネットワーク接続システムは、
前記ネットワークアドレスを含む目的データを他のネットワークアドレスを含む目的データと置き換えて前記基準イメージの形状と対応づけて前記テーブルの内容を変更することを特徴とする。
【００２５】
さらに、本発明の一態様に係るネットワーク接続システムは、
前記テーブルは、目的データと基準イメージの形状、さらに色彩とを対応づけて作成されていることを特徴とする。
【００２６】
本発明の一の態様に係る管理サーバは、
使用者のコンピュータから受信したデータに応じて、前記使用者のコンピュータに所定のネットワークアドレスを含む情報を送信する管理サーバであって、
少なくとも前記ネットワークアドレスを含む目的データと基準イメージの形状とを対応づけたテーブルと、
前記基準イメージを解析し、この基準イメージの形状を認識する画像認識アルゴリズムと、を有し、
前記使用者の画像取得装置により取得され、前記使用者のコンピュータにより前記ネットワークを介して送信された、前記基準イメージを含む画像の画像データから、前記画像認識アルゴリズムを用いて前記基準イメージの形状を認識し、
この認識した形状に対応する前記目的データを前記テーブルを用いて検索し、
検索した前記目的データを前記使用者のコンピュータに前記ネットワークを介して送信することを特徴とする。
【００２７】
さらに、本発明の一態様に係る管理サーバは、
前記使用者のコンピュータが、受信した前記目的データに含まれたネットワークアドレスに前記ネットワークを通じて接続することを特徴とする。
【００２８】
さらに、本発明の一態様に係る管理サーバは、
前記使用者の画像取得装置は、携帯電話に設けられたデジタルカメラであり、
前記使用者のコンピュータは、前記携帯電話に内蔵されていることを特徴とする。
【００２９】
さらに、本発明の一態様に係る管理サーバは、
前記管理サーバは、複数の画像認識アルゴリズムを用いて前記基準イメージの形状を認識することを特徴とする。
【００３０】
さらに、本発明の一態様に係る管理サーバは、
前記管理サーバは、複数の画像認識アルゴリズムを用いて同時に並列して前記基準イメージの形状を解析しこの解析結果に基づいて前記基準イメージの形状を認識することを特徴とする。
【００３１】
さらに、本発明の一態様に係る管理サーバは、
前記管理サーバは、１つの画像認識アルゴリズムを用いて前記基準イメージの形状を解析して認識し、認識できない場合は、他の画像認識アルゴリズムを用いて解析して認識することを特徴とする。
【００３２】
さらに、本発明の一態様に係る管理サーバは、
前記ネットワークアドレスを含む目的データを他のネットワークアドレスを含む目的データと置き換えて前記基準イメージの形状と対応づけて前記テーブルの内容を変更することを特徴とする。
【００３３】
さらに、本発明の一態様に係る管理サーバは、
前記テーブルは、目的データと基準イメージの形状、さらに色彩とを対応づけて作成されていることを特徴とする。
【００３４】
本発明の一の態様に係る携帯電話は、
ネットワークを通じて所定のネットワークアドレスに接続することができる携帯電話であって、
画像を撮影しこの画像の画像データを取得可能な画像取得装置と、
前記ネットワークに接続可能なコンピュータと、を備え、
少なくとも前記ネットワークアドレスを含む目的データと基準イメージの形状とを対応づけたテーブルが作成された前記基準イメージを含む画像を、前記画像取得装置により取得し、
前記コンピュータが、前記画像取得装置により取得された画像の画像データを、前記ネットワークを介して接続された管理サーバに送信し、
前記管理サーバにより前記画像データから画像認識アルゴリズムを用いて前記基準イメージの形状が認識されこの形状に対応する前記目的データを前記テーブルを用いて検索され送信された前記目的データを、前記ネットワークを介して受信することを特徴とする。
【００３５】
さらに、本発明の一態様に係る携帯電話は、
前記使用者のコンピュータが、受信した前記目的データに含まれたネットワークアドレスに前記ネットワークを通じて接続することを特徴とする。
【００３６】
さらに、本発明の一態様に係る携帯電話は、
前記使用者のコンピュータは、前記携帯電話に内蔵されていることを特徴とする。
【００３７】
さらに、本発明の一態様に係る携帯電話は、
前記管理サーバは、複数の画像認識アルゴリズムを用いて前記基準イメージの形状を認識することを特徴とする。
【００３８】
さらに、本発明の一態様に係る携帯電話は、
前記管理サーバは、複数の画像認識アルゴリズムを用いて同時に並列して前記基準イメージの形状を解析しこの解析結果に基づいて前記基準イメージの形状を認識することを特徴とする。
【００３９】
さらに、本発明の一態様に係る携帯電話は、
前記管理サーバは、１つの画像認識アルゴリズムを用いて前記基準イメージの形状を解析して認識し、認識できない場合は、他の画像認識アルゴリズムを用いて解析して認識することを特徴とする。
【００４０】
さらに、本発明の一態様に係る携帯電話は、
前記ネットワークアドレスを含む目的データを他のネットワークアドレスを含む目的データと置き換えて前記基準イメージの形状と対応づけて前記テーブルの内容を変更することを特徴とする。
【００４１】
さらに、本発明の一態様に係る携帯電話は、
前記テーブルは、目的データと基準イメージの形状、さらに色彩とを対応づけて作成されていることを特徴とする。
【発明の効果】
【００４２】
本発明の一態様に係るネットワーク接続方法、ネットワーク接続システム、管理サーバ、および、携帯電話によれば、使用者のコンピュータを所望のネットワークアドレスに容易に接続することができる。
【発明を実施するための最良の形態】
【００４３】
本発明の実施形態に係るネットワーク接続システムは、ネットワーク（通信網）を通じて使用者のコンピュータを所定のネットワークアドレスに接続するためのものである。
【００４４】
本発明の実施形態では、例えば、紙面、テレビ画面等に表示される基準イメージを携帯電話（使用者端末器）で撮影し、管理サーバに撮影された画像のデータを送信し、そして、このデータの送信に応じて管理サーバから返信されたデータに基づいて、該携帯電話を当該基準イメージに関連したモバイルコンテンツにネットワークを介して接続できるシステムを提案する。
【００４５】
すなわち、使用者（受信者）は、画面（例えば、テレビ画面、パソコンのモニタ）に表示された状態、名刺等の所定媒体に印刷された状態、または光学装置で入力可能な状態の基準イメージを配布され、ネットワークサービスを受けようとする場合にその基準イメージをコンピュータ（携帯電話）に入力（画像データを取得）する。
【００４６】
そして、使用者は、管理サーバに撮影された画像のデータを送信する。
【００４７】
そして、使用者は、このデータの送信に応じて管理サーバから返信されたネットワークアドレスを含む目的データを用いて所望のネットワークアドレスに接続しネットワークサービスの提供を受ける。
【００４８】
ここで、基準イメージとは、光学装置を通じて入力され得る物理的な形態で、またはコンピュータが読出し得るイメージファイルなどの電子的な形態で表示される。
【００４９】
この基準イメージは、視覚的に見られる形態であって、または電子ファイル状で存在し、その内には形状（社名、ロゴ等の文字を含む）、形状とカラー、パターンとの組み合わせなどを用いて表現されている。
【００５０】
一方、光学装置によって入力され、プログラムで設計された基準イメージはコンピュータ（例えば、携帯電話に内蔵）のメモリ、ディスク、バッファ、画面に保管される。
【００５１】
また、光学装置（画像取得装置）とは、光を用いて視覚的情報を獲得できる装置でデジタルカメラ（例えば、携帯電話に付属）、PCカメラ、スキャナなどに該当する。
【００５２】
以下、図面を参照しながら本発明に係る実施例について、より詳細に説明する。
【実施例１】
【００５３】
以下、本発明の実施例１について図面に従って説明する。図１は、本発明の実施例１に係るネットワークサービスシステムを示す図である。
【００５４】
本発明に係るネットワーク接続システム１００は、管理サーバ１と、ネットワークサービスを提供するサービスサーバ２と、基準イメージ４ａを含む画像４を撮影しこの画像の画像データを取得可能な使用者の画像取得装置および管理サーバ１およびサービスサーバ２とネットワーク（通信網）３を介して接続可能な使用者のコンピュータを有する使用者端末器５と、を備える。
【００５５】
管理サーバ１は、サービスサーバ２に関するネットワークアドレス情報を格納するとともに、アドレス情報に関して定められたインデックス情報をさらに格納できる。ここで、ネットワークアドレスは、ネットワーク環境で特定装備の位置を示すものであって文字、数字、特殊文字で示し、ＵＲＬ、ＩＰ(Internet Protocol)アドレス、電話番号または有無線通信端末器の固有識別番号である。
【００５６】
また、管理サーバ１は、少なくともサービスサーバ２に関するネットワークアドレスを含む目的データと基準イメージ４ａの形状とを対応づけたテーブル１ａと、基準イメージ４ａを解析し、この基準イメージ４ａの形状を認識する画像認識アルゴリズムと、を有する。
【００５７】
そして、管理サーバ１は、複数の上記画像認識アルゴリズムを用いて基準イメージ４ａの形状を認識する。
【００５８】
例えば、管理サーバ１は、後述する統計的アプローチや構文解析的アプローチ等の解析方法が異なる複数の画像認識アルゴリズムを用いて同時に並列して基準イメージ４ａの形状を解析し、この解析結果に基づいて、基準イメージ４ａの形状を認識する。
【００５９】
ここで、コンピュータ・ビジョンおよび形状（パターン）認識の各分野では、何十ものアルゴリズム設計アプローチが存在する。それぞれの解析手法においては、想定の単純化が異なっており、画像認識アルゴリズムの行動性、特定のイメージ・クラスに対する合成適用に大きく影響する。
【００６０】
例えば、イメージの全体把握で数学的事実を用いる統計的アプローチは、雑誌広告のイメージでは良い結果を得ることができるが、単純なロゴ・デザインでは、所望の結果を得ることが困難である。
【００６１】
一方、派生要素の最終的な集合に適応させる構文解析的アプローチは、統計的アプローチと反対のこと特徴を有する。
【００６２】
したがって、統計的アプローチや構文解析的アプローチ等の解析方法が異なる複数の画像認識アルゴリズムを用いることにより、単純な基準イメージ４ａの狭小範囲に対する、高い拡張性を得ることができる。
【００６３】
なお、管理サーバは、１つの画像認識アルゴリズムを用いて基準イメージ４ａの形状を解析して認識し、認識できない場合は、他の解析手法の画像認識アルゴリズムを用いて解析して認識するようにしてもよい。
【００６４】
テーブル１ａは、目的データと基準イメージ４ａの形状とを対応づけて作成されているが、基準イメージ４ａの形状に加えて、基準イメージ４ａの色彩を含めて目的データと対応づけてもよい。これにより、テーブル１で対応づけることが可能な情報量が増加する。
【００６５】
また、テーブル１ａの目的データには、既述のネットワークアドレス以外に、使用者の必要に応じて名前、プロトコル、または文書名、サービス情報などを含むようにできる。
【００６６】
管理サーバ１は、必要に応じて、ネットワークアドレスを含む目的データを他のネットワークアドレスを含む目的データと置き換えて基準イメージ４ａの形状と対応づけて、このテーブル１ａの内容を変更する。すなわち、管理サーバ１は、従来の２次元コードのように目的データが規定された範囲に制限されることなく、例えば使用者やサービスの提供者の要求に応じて、基準イメージ４ａに対応させる目的データを変更することができる。
【００６７】
サービスサーバ２は、目的データを用いて接続してきた使用者端末器５に対し、例えば、サービス情報を提供する。
【００６８】
このサービス情報として、インターネットサービスを用いる場合には、ウェブサービス、テルネットサービス、電子メールサービス、ゴッファーサービス、ＦＴＰ(File Transfer Protocol)のようにＵＲＬに表示されたプロトコルによって定義されたサービスがある。
【００６９】
また、使用者は、各サーバに備えられた特定のサービス、例えばオンライン教育サービスやショッピングモールサービスに直接接続して用いられるだけでなく特定IPアドレスやURLで提供されるテキストや絵ファイル、または音響、停止画像、動映像で構成されたマルチメディア情報を提供され得る。
【００７０】
一方、サービス情報は、インターネットを通したネットワークサービスのためのもの以外にも他の一般的な通信機器で定義されたサービス、例えば、電話やFAXサービスのためのものも含む。例えば、アドレス情報として電話番号やＦＡＸ番号が含まれた場合には、その番号に電話をかけたり、また、FAXを送るサービスが使用者に提供されたりする。
【００７１】
また、既述のように、管理サーバ１が使用者やサービスの提供者の要求に応じて基準イメージ４ａに対応させる目的データを変更することができるので、サービスサーバ２は、この変更された目的データに対応したネットワークサービスを提供することができる。
【００７２】
使用者端末器５は、例えば、携帯電話、コンピュータ、ＰＤＡ(Personal Digital Assistant)、スマートホン、ＩＭＴ(International Mobile Telecommunication)-２０００端末器である。
【００７３】
例えば、使用者端末器５が、携帯電話である場合、この携帯電話に設けられたデジタルカメラのような画像取得装置を通じて紙面、テレビ画面等から獲得した基準イメージ４ａを含む画像４のデータまたはファイル状の基準イメージ４ａを入力され、携帯電話に内蔵されたコンピュータのメモリ、ディスク、バッファ等に保管する。
【００７４】
使用者端末器５は、入力された基準イメージ４ａを含む画像４のデータを管理サーバ１に送信し、管理サーバ１から目的データを得ることができる。
【００７５】
以上のような構成を有するネットワーク接続システム１００の管理サーバ１において、既述のように、基準イメージ４ａの形状を認識する過程では、基準イメージ４ａの形状、カラー（色彩）等を捜し出す過程が必要である。そして、それ以外にも歪曲されたイメージを補正する過程が要求される。これらは、例えば、境界線検出及び細線化アルゴリズム等の画像認識アルゴリズムを使用して形及びパターンを検出できる。
【００７６】
また、ＲＧＢ(Red、Green、Blue)モデル、ＨＳＶ(Hueangle、Saturation、Value)モデル、ＣＭＹ(Cyan、Magenta、Yellow)モデル、ＨＬＳ(Hueangle、Lightness、Saturation)モデル中で一つ以上の方法を使用してカラー判別が可能である。
【００７７】
コンピュータの画像認識アルゴリズムによる形状（パターン）の認識は、観測された形状をあらかじめ定められた概念（クラス）の１つに対応させる処理のことである。
【００７８】
例えば、数字を認識するのであれば、与えられた画像（形状）を０から９までのいずれかに対応させる処理になる。
【００７９】
画像認識アルゴリズムによるによるパターン認識は、通常特徴抽出と識別の２つの過程で行われる。
【００８０】
特徴抽出とは、対象を区別できるような情報を観測パターンから取り出す処理である。コンピュータで扱いやすいように、情報はすべて数値化される。取り出された情報を特徴と呼ばれる。どのような特徴を抽出するかは、形状（パターン）認識の性能を決める重要な要素である。
【００８１】
識別とは、得られた特徴を用いて観測された形状（パターン）がどのクラスに属するかを判断する処理である。観測形状から得られた数値を対象とするので、識別の理論は様々な認識対象に対して適用可能である。
【００８２】
画像認識アルゴリズムによる識別の手法は、大きく統計的アプローチと構文解析的アプローチに分類される。
【００８３】
統計的アプローチでは、認識対象となるそれぞれのクラスについて、あらかじめ多数のデータが収集される。そして、収集されたデータから得られた統計量（平均、分散など）をもとに、観測パターンが各クラスに属するもっともらしさを評価する。様々な特徴に対応できる一般的な方法として、確率分布を考える方法がある。クラスごとに多くのデータを収集して特徴を求め、特徴の確率分布を求める。未知の観測パターンから特徴を求め、 それが各クラスに属する確率を計算する。最も確率の高いクラスが一番もっともらしいクラスであると判断する方法である。
【００８４】
一方、構文解析的アプローチでは、各クラスのパターンがある規則（文法）に従って生成すると考え、観測パターン を生成するのはどのクラスの規則であるかを判断することでクラスを判定する。
【００８５】
次に、以上のようなネットワーク接続システム１００で使用される基準イメージ４ａの一例について説明する。
【００８６】
図２は、本実施例１のネットワーク接続システムに使用される基準イメージの一例を示す図である。
【００８７】
図２に示すように、基準イメージ４ａは二次元コード等のような制限はなく、様々な画像イメージ（ここでは、パソコンのモニタの形状）が対象になる。図２では、基準イメージ４ａがモノクロで表現されているが、基準イメージ４ａは色彩を有していてもよい。
【００８８】
次に、図１に示したネットワーク接続システム１００のネットワーク接続方法のフローについて説明する。
【００８９】
図３は、ネットワークを通じて携帯電話（使用者端末器）のコンピュータを所定のネットワークアドレスに接続するためのネットワーク接続方法のフロー図である。
【００９０】
図３に示すように、先ず、少なくともネットワークアドレスを含む目的データと基準イメージ４ａの形状とを対応づけたテーブル１ａが作成された当該基準イメージ４ａを含む画像４を、使用者の画像取得装置（携帯電話に設けられたデジタルカメラ）により取得する（ステップＳ３１）。
【００９１】
次に、使用者のコンピュータ（携帯電話に内蔵された）が、画像取得装置により取得された画像４の画像データを、ネットワーク３を介して接続された管理サーバ１に送信する（ステップＳ３２）。
【００９２】
次に、管理サーバ１が、受信した画像データから画像認識アルゴリズムを用いて基準イメージ４ａの形状を認識し、この認識した形状に対応する目的データを、テーブル１ａを用いて検索する（ステップＳ３３）。既述のように、例えば、管理サーバ１は、後述する統計的アプローチや構文解析的アプローチ等の解析方法が異なる複数の画像認識アルゴリズムを用いて同時に並列して基準イメージ４ａの形状を解析し、この解析結果に基づいて、基準イメージ４ａの形状を認識する。また、既述のように管理サーバ１は、１つの画像認識アルゴリズムを用いて基準イメージ４ａの形状を解析して認識し、認識できない場合は、他の解析手法の画像認識アルゴリズムを用いて解析して認識するようにしてもよい。
【００９３】
次に、管理サーバ１が、検索した目的データを使用者のコンピュータにネットワーク３を介して送信する（ステップＳ３４）。
【００９４】
次に、使用者のコンピュータが、受信した目的データに含まれたネットワークアドレスにネットワーク３を通じて接続する（ステップ３５）。
【００９５】
そして、ネットワークアドレスの所定のサービスサーバ２から使用者のコンピュータにネットワークサービスが提供される（ステップＳ３６）。
【００９６】
以上のフローにより、ネットワーク３を介して使用者のコンピュータをサービスサーバ２に接続し、このサービスサーバ２から携帯電話５に所望のネットワークサービスが提供される。
【００９７】
なお、既述のように、管理サーバ１が使用者やサービスの提供者の要求に応じて基準イメージ４ａに対応させる目的データを変更することにより、サービスサーバ２は、この変更された目的データに対応したネットワークサービスを提供することができる。
【００９８】
以上のように、本実施例に係るネットワーク接続方法、ネットワーク接続システム、管理サーバ、および、携帯電話によれば、使用者のコンピュータを所望のネットワークアドレスに容易に接続することができる。
【図面の簡単な説明】
【００９９】
【図１】本発明の一態様である実施例１に係るネットワーク接続システムを示す図である。
【図２】本発明の一態様である実施例１のネットワーク接続システムに使用される基準イメージの一例を示す図である。
【図３】本発明の一態様である実施例１に係るネットワークを通じてコンピュータを所定のネットワークアドレスに接続するためのネットワーク接続方法のフロー図である。
【符号の説明】
【０１００】
１  管理サーバ
２  サービスサーバ
３  通信網
４  画像
４ａ  基準イメージ
５  使用者端末器（携帯電話）
１００  ネットワークサービスシステム
【図１】
2007249268.tif 000003
【図３】
2007249268.tif 000004
【図２】
2007249268.tif 000005